(57)【要約】【課題】普通一般に普及している携帯用電話機に対して合理的な構成を採用し、携帯電話機の縦長表示画面を横長表示画面としても使用することができること。【解決手段】入力操作部を有する縦長の電話機本体と、この電話機本体の長手方向の側壁部に回転自在に軸支された支持板と、この支持板の内壁面に一端部が軸支され、かつ、一端部から他端部に至る縦長の液晶表示部を有する蓋体とから成り、前記蓋体は、支持板と共に開いた時に縦長の液晶表示部が縦長の電話機本体と並列し、さらに縦長の液晶表示部は、蓋体の他端部側から略９０度回転すると、縦長の電話機本体に対して横長に位置することを特徴とする携帯用電話機。【選択図】　図１
2004056609.tif 000002
【特許請求の範囲】
【請求項１】
入力操作部を有する縦長の電話機本体と、この電話機本体の長手方向の側壁部に回転自在に軸支された支持板と、この支持板の内壁面に一端部が軸支され、かつ、一端部から他端部に至る縦長の液晶表示部を有する蓋体とから成り、前記蓋体は、支持板と共に開いた時に縦長の液晶表示部が縦長の電話機本体と並列し、さらに縦長の液晶表示部は、蓋体の他端部側から略９０度回転すると、縦長の電話機本体に対して横長に位置することを特徴とする携帯用電話機。
【請求項２】
請求項１に於いて、支持板の内壁面には、蓋体の回転を規制する回転規制部が設けられていることを特徴とする携帯用電話機。
【請求項３】
請求項１に於いて、蓋体を電話機本体に対して交差状態にした場合には、横長に見える液晶表示部に表れる情報をワイド画面に対応するように配列する回転方向検出回路や情報素子駆動回路を有する電話回路が設けられていることを特徴とする携帯用電話機。
【請求項４】
入力操作部を有する縦長の電話機本体と、この電話機本体の裏側の一端部に軸支された支持板と、この支持板の外周壁に軸支部を介して一側壁の一端部が軸支され、かつ、一端部から他端部に至る縦長液晶表示部を有する蓋体とから成り、前記蓋体は、蓋体を開いた時に、縦長の電話機本体と並列し、さらに、縦長の液晶表示部は、蓋体の他端部側から前記支持板と共に略９０度回転すると、縦長の電話機本体に対して横長に位置することを特徴とする携帯用電話機。
【発明の詳細な説明】
【０００１】
【発明の属する技術分野】
本発明は、携帯用電話機に関する。
【０００２】
【従来の技術】
近年、ＰＨＳ，ｉ−ｍｏｄｅ（登録商標）などの携帯用電話機が普及している。携帯用電話機の形態は、普通一般に用途との関係で掌に載ることができるような大きさにする必要があることから、その形状や液晶表示部の表示画面の大きさも制約を受ける。携帯用電話機の種類は、入力操作部の上方に液晶表示部が連設するストレート型と、入力操作部と液晶表示部とが一体的に設けられた折り畳み型に大別することができる。後者の折り畳み型電話機は、前者のストレート型よりも縦長表示画面が多少大きいものの、それでも情報（文字、図形など）が小さいので、表示画面が縦長であることも相俟って、読み難い或いは見にくいと感じる人がいる。
【０００３】
【発明が解決しようとする課題】
本発明の第１の目的は、携帯電話機の縦長表示画面を横長表示画面としても使用することができる。これにより横長表示画面の方が見やすい、文字を読み易いと感じている人々の要求を満たすことである。本発明の第２の目的は、普通一般に普及している携帯用電話機の形態のイメージを変えないで、合理的な構成により第１の目的を達成することができることである。
【０００４】
【課題を解決するための手段】
本発明の携帯用電話機は、入力操作部を有する縦長の電話機本体と、この電話機本体の長手方向の側壁部に回転自在に軸支された支持板と、この支持板の内壁面に一端部が軸支され、かつ、一端部から他端部に至る縦長の液晶表示部を有する蓋体とから成り、前記蓋体は、支持板と共に開いた時に縦長の液晶表示部が縦長の電話機本体と並列し、さらに縦長の液晶表示部は、蓋体の他端部側から略９０度回転すると、縦長の電話機本体に対して横長に位置することを特徴とする。
【０００５】
また本発明の携帯用電話機は、入力操作部を有する縦長の電話機本体と、この電話機本体の裏側の一端部に軸支された支持板と、この支持板の外周壁に軸支部を介して一側壁の一端部が軸支され、かつ、一端部から他端部に至る縦長液晶表示部を有する蓋体とから成り、前記蓋体は、蓋体を開いた時に、縦長の電話機本体と並列し、さらに、縦長の液晶表示部は、蓋体の他端部側から前記支持板と共に略９０度回転すると、縦長の電話機本体に対して横長に位置することを特徴とする。
【０００６】
【発明の実施の形態】
図１乃至５図は、本発明の第１実施例を示す各説明図である。まず図１を参照にして携帯用電話機Ｘを説明する。携帯用電話機の一般的形態は、入力操作部の上方に液晶表示部が連設するストレート型と、中心部の軸支部を介して入力操作部と液晶表示部とが上下方向に一体的に設けられた折り畳み型とに区分けすることができる。本発明の第１実施例の携帯用電話機Ｘは、折り畳み型ではある。
【０００７】
１は入力操作部を有する縦長の電話機本体である。この電話機本体１は、一側（左側）に位置し、かつ、掌に載せることができるベース板部１ａと、ベース板部１ａの上面に一体的に設けられた入力操作部２とから成る。この入力操作部２の表面の上部には、蓋体側の液晶表示部に表れるカーソル（ポインター）の方向やメニューの選択に用いられる方向盤（ポインティング・デバイス）３が設けられている。また入力操作部２の方向盤３の下方側には、電源釦、数字釦、記号釦など複数個（例えば１８個）の操作釦４が整列状態（例えば三列）に設けられている。
【０００８】
５は電話機本体１の長手方向の側壁部１ｂに設けられた軸支部６を介して回転自在に軸支された円形あるいは多角形状の支持板である。この支持板の内壁面５ａには小突起の支軸７が設けられていると共に、軸支部６寄りの縁部には液晶表示部部を有する蓋体１０が回転した場合に、該蓋体１０を所定位置で止め突壁状の回転規制部８が設けられている。回転規制部８の両端面８ａ，８ｂは、いわば係止面としての機能を発揮する。
【０００９】
１０は支持板５の内壁面５ａに一端部１０ａが軸支され、かつ、一端部１０ａから他端部１０ｂに至るまで縦長の液晶表示部１１を有する蓋体である。この蓋体１０の一端部１０ａは、一側壁１０ｃの上部寄の部位から他側壁１０ｄの上端部まで略半円弧状に切欠され、その左右の切欠端面１２ａ，１２ｂは、前述した回転規制部８の係止端面８ａ，８ｂとそれぞれ当接可能である。
【００１０】
１５はベース部１ａの右上端部に伸縮自在に設けられたアンテナである。携帯用電話機Ｘには、その他スピーカ１６、マイク１７、他の機器との出入力端子などが適宜に設けられている。なお、アンテナ１５は、設計如何によって蓋体１０の方に設けても良い。
【００１１】
上記構成に於いて、図１は蓋体１０を開いたときの状態を示す。この時蓋体１０は、支持板５と共に略１８０度回転し、電話機本体１と蓋体１０は、略同一平面上に位置する。また、蓋体１０の縦長液晶表示部１１は、縦長の電話機本体１と並列する。したがって、携帯用電話機Ｘを所持している者は、もちろん、この状態でも縦長液晶表示部１１に表れる情報を見ながら方向盤３や操作釦４を操作することができるが、縦長液晶表示部１１をワイド画面にしたい時は、さらに、蓋体１０の他端部１０ｂを指で摘み、図２で示すように支軸７を支点にして該蓋体１０を外方向へ回転させる。
【００１２】
しかして、蓋体１０が回転し、丁度、蓋体１０が電話機本体１に対して直交状態になった所で、蓋体１０の他方の切欠端面１２ｂが支持板の回転規制部８の他方係止端面８ｂに当接し、或いは接線方向の切欠端面１２ｂが回転規制部８の弧状内壁面にスライド圧接し、蓋体１０は所定位置で停止する。
したがって、蓋体１０は電話機本体１に対して略９０度回転した所で、その縦長液晶表示部１１が、図３で示すように横長（ワイド）の液晶表示部１１となる。
【００１３】
【実施例】
第１実施例に於いて、図１を基準にすると、液晶表示部１１は電話機本体１の右側に設けられているが、軸支部６を電話機本体１の左側に設けた場合には、該軸支部６を介して左側に設けられる。この場合には、蓋体は右回転して直交状態になる。本発明の目的は、蓋体１０（縦長の液晶表示画面１２）を横長の液晶表示画面１２ａにすることができれば十分であるから、液晶表示部１１を一方（例えば左のみ）に回転させることができれば良い。
【００１４】
また第１実施例は、支持板の内壁面に蓋体の回転を規制する回転規制部が設けられているが、この回転規制部の構成は任意に設計変更することができる。例えば支持板の適宜部位に小突起状の係止ピンを設け、一方、この係止ピンと係合する切欠端面を有する弧状の切欠部を蓋体の円弧状上端部に形成しても良い。
次に第２実施例について説明する。なお、この実施例の説明にあたって、第１実施例と同一又は同様（機能が同一）の部分には、同一又は同様の符号を付し、重複する説明を省略する。
【００１５】
図６乃至図１０に示す第２実施例に於いて、第１実施例と主に異なる点は、図６を基準にすると、直線状縁部を有する略円形状の支持板５Ａが電話機本体１Ａの一端（上端）部の裏側に軸支され、該支持板５Ａは電話機本体１Ａに対してスライド自在に回転すること、また蓋体１０Ａは支持板５Ａの直線状縁部５ｂに設けられた軸支部６Ａを介して電話機本体１Ａと並列状態に連結されていることである。
【００１６】
上記構成に於いて、図６は蓋体１０Ａを開いたときの状態を示す。この時蓋体１０Ａは、略１８０度回転し、電話機本体１Ａと並列状態となる。したがって、蓋体１０Ａの縦長液晶表示部１１は、縦長の電話機本体１Ａの方向盤３や操作釦４に並列する。そこで、携帯用電話機Ｘ１の所持者は、この状態で縦長液晶表示部１１に表れる情報を見ながら方向盤３や操作釦４を操作することができる。
しかしながら、縦長液晶表示部１１をワイド画面にしたい時は、さらに、蓋体１０Ａの他端部１０ｂを指で摘み、図７で示すように支軸７Ａを支点にして該蓋体１０Ａを外方向へ回転させ、図８で示すように蓋体１０Ａを電話機本体１Ａに直交させることができる。
【００１７】
ところで、第１実施例及び第２実施例に於いて、蓋体１０（１０Ａ）を電話機本体１（１Ａ）に対して交差状態にした場合には、液晶表示部１１（１１Ａ）に表れる情報は、図１１及び図１２に示すように横長（ワイド）画面に対応して配列される。図１１は電話機本体の内部回路の概略説明図であり、図１２は蓋体１０（１０Ａ）を直交状態まで回転した場合に於いて、液晶表示部１１（１１Ａ）に表れる情報の表示態様を示す説明図である。
【００１８】
そこで、図１１及び図１２を参照に内部回路について説明する。２５は中央演算処理装置（以下「ＣＰＵ」という。）で、このＣＰＵ２５には各種の回路や装置が電気的に接続している。
【００１９】
すなわち、２６は情報やメインプログラムを記憶するファイル装置、２７は双方向の信号の授受が可能な信号変換回路、２８は蓋体１０（１０Ａ）の液晶表示部１１（１１Ａ）の回転方向を検出する回転方向検出回路、２９は表示画面に表れる情報を所定方向へ反転させる機能、情報を反転させた場合に文字数、行数等を画面表示（縦長か、それとも横長か）に対応して設定させる機能及びカーソルの方向を指定する機能をそれぞれ有する情報素子駆動回路である。さらに、電話機本体１（１Ａ）の上部に設けられたスピーカ１６は電話回路３０に接続し、一方、入力操作部２（２Ａ）の下部に設けたマイク１７は信号変換回路２７に接続している。
【００２０】
しかして、ＣＰＵ２５には前述した方向盤３や操作釦４の操作に基づく信号が流れる。またＣＰＵ２５には、単数又は複数個（本実施例では１個）の情報素子制御用駆動釦１８に基づいて回転方向検出回路２８が検出した検出信号が流れる。またＣＰＵ２５には、アンテナ１５で受信されかつ電話回路３０や信号変換回路２７をそれぞれ介して変換された変換信号が流れる。
【００２１】
上記構成に於いて、縦状態の蓋体（縦長に見える表示画面）１０（１０Ａ）を横長の表示画面の状態に使用したい場合には、蓋体１０（１０Ａ）を他端部側から略略９０度回転させる。この場合、そのままの状態では入力操作部２（２Ａ）の操作釦４の文字と横長に見える液晶表示部の文字は交差状態になってしまう。つまり、横長に見える表示画面の文字等が横（倒れた）状態になり、読み難くなる。そこで、繰り返して押される情報素子制御用駆動釦１８を押す。ここで、駆動釦１８を一度押すと、回転方向検出回路２８は駆動釦の入力信号を検知し、この検知信号はＣＰＵ２５に流れる。
【００２２】
ＣＰＵ２５は回転方向検出回路２８から「いずれかの方向に回転した旨」の検知信号を受け取り、該検知信号に基づく制御信号を情報素子駆動回路２９に送る。
【００２３】
情報素子駆動回路２９は、縦長の表示画面から横長表示画面になった当該ワイド画面に文字情報、図形情報、映像情報などの情報がそれぞれ正しく表示されるように情報素子を駆動制御する。図１２は情報素子駆動回路２９の機能により液晶表部部の表示画面に表れた文字情報の態様を簡単に示したものである。
【００２４】
【発明の効果】
以上の説明から明らかなように、本発明にあっては、次に列挙するような効果がある。
（１）簡単な操作により、携帯電話機の縦長表示画面を横長表示画面としても使用することができる。したがって、横長表示画面の方が見やすい、文字を読み易いと感じている人々の要求を満たすことができる。
（２）普通一般に普及している携帯用電話機の形態のイメージを変えないで、合理的な構成により（１）の効果を達成することができる。
（３）請求項２に記載の発明は、蓋体が電話機本体に対して直交状態になった所で確実に停止させることができる。
【図面の簡単な説明】
図１乃至図５は本発明の第１実施例を示す各概略説明図。図６乃至図１０は本発明の第２実施例を示す各概略説明図。図１１及び図１２は電話機本体の内部回路の各説明図。
【図１】第１実施例の正面からの説明図（電話機を開いた状態）。
【図２】液晶表示部を左に回す途中の正面からの説明図。
【図３】液晶表示部を左に回した時の正面からの説明図。
【図４】正面からの説明図（電話機を閉じた状態）。
【図５】側面からの説明図（電話機を閉じた状態）。
【図６】第２実施例の正面からの説明図（電話機を開いた状態）。
【図７】液晶表示部を左に回す過程の正面からの説明図。
【図８】液晶表示部を直交状態にした時の正面からの説明図。
【図９】正面からの説明図（電話機を閉じた状態）。
【図１０】側面からの説明図（電話機を閉じた状態）。
【図１１】電話機本体の内部回路の概略説明図。
【図１２】蓋体を直交状態まで回転した場合に於いて、液晶表示部に表れる情報の表示態様を示す説明図。
【符号の説明】
Ｘ，Ｘ１…携帯用電話機、１，１Ａ…電話機本体、１ａ…ベース板部、１ｂ…側壁部、２，２Ａ…入力操作部、３…方向盤、４…操作釦、６…軸支部、７，７Ａ…支軸、８…回転規制部、１１，１１Ａ…液晶表示部、１３…アンテナ、１６…スピーカ、１７…マイク。
【図１】
2004056609.tif 000003
【図２】
2004056609.tif 000004
【図３】
2004056609.tif 000005
【図４】
2004056609.tif 000006
【図５】
2004056609.tif 000007
【図６】
2004056609.tif 000008
【図７】
2004056609.tif 000009
【図８】
2004056609.tif 000010
【図９】
2004056609.tif 000011
【図１０】
2004056609.tif 000012
【図１１】
2004056609.tif 000013
【図１２】
2004056609.tif 000014